(57)【特許請求の範囲】
【請求項１】
正面、前記正面の裏面に相当する背面、開口部を有し前記正面及び背面の各面積よりも小さい面積を有した側面、を有した筐体と、
スイッチが実装された第１面、前記第１面の裏面に相当する第２面、を有したプリント基板と、
前記第１面が前記筺体の前記側面を向いた状態で前記プリント基板を保持する保持部、前記保持部に一体に形成され前記開口部から露出し前記スイッチを操作可能な操作部、を有し前記筐体に収納されたホルダと、を備え、
前記保持部は、前記プリント基板の前記第１面に対向する第１挟持部、前記プリント基板の前記第２面に対向する第２挟持部、前記プリント基板の下側の縁を支える低壁部、前記プリント基板の上側の縁を押える係合爪部、を有し、
前記プリント基板は、前記第１及び第２挟持部の間に前記プリント基板の平面方向に挿入することにより前記ホルダに保持される、電子装置。
【請求項２】
前記ホルダに保持された前記プリント基板の前記第２面に形成されたグランドパターンに接続した接続部を有し、前記筐体に収納された金属板を備えた、請求項１の電子装置。
【請求項３】
前記接続部は、前記スイッチの裏側に位置している、請求項２の電子装置。
【請求項４】
前記接続部は、弾性変形可能な板バネ状である、請求項２又は３の電子装置。
【請求項５】
前記ホルダは、前記筐体に固定され、
前記プリント基板は、前記ホルダに保持され前記筐体には固定されていない、請求項１乃至４の何れかの電子装置。
【請求項６】
前記筐体に収納され、前記プリント基板の前記第１面と垂直に配置され他のプリント基板を備えた、請求項１乃至５の何れかの電子装置。
【請求項７】
前記ホルダは、前記保持部と前記操作部とに連続し湾曲しており前記操作部への操作により変形する腕部を有している、請求項１乃至６の何れかの電子装置。
【発明の詳細な説明】
【技術分野】
【０００１】
本発明は、電子装置に関する。
【背景技術】
【０００２】
電子装置には、操作ボタン、操作ボタンへの操作により押されるスイッチ、スイッチを実装したプリント基板、操作ボタンを露出する開口部を有しプリント基板を収納した筐体、を備えたものがある。
【先行技術文献】
【特許文献】
【０００３】
【特許文献１】特開平８−１４８０５４号公報
【特許文献２】特開２００１−０８２００７号公報
【発明の概要】
【発明が解決しようとする課題】
【０００４】
このような電子装置の筐体には、薄型化されたものがある。薄型化された筐体は、正面、背面、正面及び背面の各面積よりも小さい面積を有した側面を有している。筐体の側面にこのような操作ボタンを設ける場合に、筐体の正面又は背面に平行に操作ボタン用のスイッチを実装したプリント基板を配置すると、筐体内での正面又は背面の方向でのプリント基板が占有するスペースが増大する。
【０００５】
本発明は、スイッチが実装されたプリント基板の筐体内での占有スペースが抑制された電子装置を提供することを目的とする。
【課題を解決するための手段】
【０００６】
本明細書に開示の電子装置は、正面、前記正面の裏面に相当する背面、開口部を有し前記正面及び背面の各面積よりも小さい面積を有した側面、を有した筐体と、スイッチが実装された第１面、前記第１面の裏面に相当する第２面、を有したプリント基板と、前記第１面が前記筺体の前記側面を向いた状態で前記プリント基板を保持する保持部、前記保持部に一体に形成され前記開口部から露出し前記スイッチを操作可能な操作部、を有し前記筐体に収納されたホルダと、を備えている。
【発明の効果】
【０００７】
スイッチが実装されたプリント基板の筐体内での占有スペースが抑制された電子装置を提供できる。
【図面の簡単な説明】
【０００８】
【図１】図１Ａ、１Ｂは、本実施例の携帯装置の説明図である。
【図２】図２は、電子装置の分解斜視図である。
【図３】図３は、ケース、プリント基板、ホルダを示した分解斜視図である。
【図４】図４は、ケース、プリント基板、ホルダを示した分解斜視図である。
【図５】図５は、ケースにホルダを固定した状態の図である。
【図６】図６は、ケースに固定されたホルダがプリント基板を保持した図である。
【図７】図７は、ケースに固定されたホルダがプリント基板を保持した図である。
【図８】図８は、組み立て後の電子装置のプリント基板、ホルダ周辺の断面図である。
【図９】図９は、組み立て後の電子装置のプリント基板、ホルダ周辺の断面図である。
【図１０】図１０は、組み立て後の電子装置のプリント基板、ホルダ周辺の断面図である。
【発明を実施するための形態】
【０００９】
本実施例の電子装置について説明する。図１Ａ、１Ｂは、本実施例の電子装置１の説明図である。電子装置１は、携帯可能なタブレット型コンピュータである。電子装置１は、筐体２を有している。筐体２は、フロントケース（以下、ケースと称する）１０、リアケース（以下、ケースと称する）２０を有する。ケース１０、２０のそれぞれは、軽量および堅牢を目的に、マグネシウム合金で形成される。ケース１０は、筐体２の正面側を画定し、ケース２０は、筐体２の背面側を画定する。ケース１０の正面１１側には、タッチパネルディスプレイＤが設けられている。ケース１０の低側面１４、ケース２０の低側面２４には、コネクタＣ、ポートＰが設けられている。コネクタＣは、電子装置１と接続可能なクレードルと接続するためのものである。ポートＰは、ケーブルを接続するためのものである。
【００１０】
ケース１０の側面１２、ケース２０の側面２２には、スライド可能な操作部７０ａ、７０ｂ、押下げ可能な３つの操作部５５が設けられている。側面１２、２２の合計の面積は、正面１１、背面２１の各面積より小さい。尚、側面１２は、正面１１に対して傾斜している。また、側面２２は、湾曲している。ケース２０の背面２１には、バッテリパックＢＡＴが着脱可能に装着される。バッテリパックＢＡＴは、主に、電子装置１のコネクタと電気的に結合されるコネクタ、コネクタを介して電子装置１に電力を供給する電池セル、電池セルを収納するケースで構成される。バッテリパックＢＡＴが筐体２に装着されると、バッテリパックＢＡＴのケースの一部はケース２０の背面２１と協同して筐体２の背面を構成する。
【００１１】
図２は、電子装置１の分解斜視図である。ケース１０、２０内には、ディスプレイユニットＤＵ、マザーボードＭＢ、ハードディスクＨＤ、金属板３０、プリント基板４０、ホルダ５０等が収納されている。ディスプレイユニットＤＵは、ケース１０側に配置される。マザーボードＭＢ、ハードディスクＨＤ、金属板３０、プリント基板４０は、ケース２０側に配置される。マザーボードＭＢには、電子装置１の動作を制御するためのＩＣチップや、メモリが実装されている。
【００１２】
プリント基板４０には詳しくは後述するがスイッチが実装されている。プリント基板４０は、ホルダ５０に保持されている。マザーボードＭＢとプリント基板４０とはフラットケーブルＦＣを介して電気的に接続されている。金属板３０とケース２０の側面２２との間に、プリント基板４０、ホルダ５０が配置されている。金属板３０の背面側にはバッテリが格納される。金属板３０の正面側にはゴム製のシートＳＨが貼り付けられている。金属板３０の正面側は、軽量化のために複数の孔が設けられており、シートＳＨはこの孔を塞いでいる。
【００１３】
図３、４は、ケース２０、プリント基板４０、ホルダ５０を示した分解斜視図である。プリント基板４０は、スイッチ４５、４７ａ、４７ｂが実装された第１面４１、第１面４１の裏面に相当しグランドパターン４６ａ〜４６ｃが形成された第２面４２、を有している。第１面４１がケース２０の側面２２側を向き、第２面４２が金属板３０側を向いて、プリント基板４０はホルダ５０に保持される。スイッチ４５は、プッシュ式のスイッチである。スイッチ４７ａ、４７ｂはスライド式のスイッチである。プリント基板４０は、剛性を有している。第１面４１には、フラットケーブルＦＣとの接続用のコネクタＦＣＣが実装されている。グランドパターン４６ａ〜４６ｃは、プリント基板４０のグランド層と導通している。
【００１４】
ホルダ５０は、プリント基板４０を保持する。ホルダ５０は、スイッチ４５を操作するための操作部５５が一体に設けられている。操作部７０ａ、７０ｂは、ホルダ５０とは別体に設けられている。ホルダ５０は、互いに対向する側壁部５１、５２、側壁部５１と側壁部５２とに連続した低壁部５９、を有している。また、側壁部５１側には第１挟持部（以下、挟持部と称する）５３が設けられ、側壁部５２側には挟持部５４が設けられている。挟持部５３、５４は、所定の隙間を有した互いに対向している。
【００１５】
プリント基板４０がホルダ５０に組み付けられた場合には、側壁部５１、５２は、それぞれプリント基板４０の第１面４１、第２面４２と対向し、挟持部５３、５４は、それぞれ第１面４１、第２面４２と対向する。ホルダ５０の低壁部５９は、プリント基板４０の下側の縁と当接してプリント基板４０を支持する。側壁部５２には、プリント基板４０の上側の縁を押える係合爪部５８が形成されている。
【００１６】
側壁部５１には、操作部７０ａ、７０ｂをそれぞれスライド可能に係合する係合部５７７ａ、５７７ｂが形成されている。ホルダ５０には、ネジ孔ＮＨが形成されており、ネジＮによりケース２０にホルダ５０が固定される。ホルダ５０の側壁部５２には、後述する金属板３０の接続部３６ａ〜３６ｃとプリント基板４０との接続を確保するための逃げ部５６ａ〜５６ｃが形成されている。ホルダ５０は、合成樹脂製であり、ある程度変形可能に形成されている。
【００１７】
一つの操作部５５に対して２つの腕部５７が連続している。腕部５７は湾曲している。尚、腕部５７は、側壁部５１に連続して形成されているものもあるが、挟持部５３に連続して形成されているものもある。
【００１８】
ケース２０の側面２２には、操作部５５、７０ａ、７０ｂを露出するための開口部２５、２７ａ、２７ｂが形成されている。また、ケース２０の側面２２の内面には、ホルダ５０を支えるための複数のリブ２８、２９が形成されている。リブ２８、２９は、それぞれホルダ５０の側壁部５１、低壁部５９に当接してホルダ５０を支える。尚、図４に示すように、ホルダ５０には操作部７０ａを初期位置に戻すためのコイルバネＳＰが保持されている。
【００１９】
金属板３０には、プリント基板４０のグランドパターン４６ａ〜４６ｃと接続するための接続部３６ａ〜３６ｃが設けられている。接続部３６ａ〜３６ｃは、弾性変形可能に湾曲した板バネ状である。
【００２０】
図５は、ケース２０にホルダ５０を固定した状態の図である。ホルダ５０は、ケース２０の側面２２に沿うように配置される。図６、７は、ケース２０に固定されたホルダ５０がプリント基板４０を保持した図である。図８〜１０は、組み立て後の電子装置１のプリント基板４０、ホルダ５０周辺の断面図である。
【００２１】
図６、７に示すように、プリント基板４０は、第１面４１が側面２２を向いている。換言すれば、第１面４１は、筐体２の正面１１、背面２１と直交している。このように、ホルダ５０は、第１面４１がケース２０の側面２２を向いた状態でプリント基板４０を保持する。プリント基板４０の第１面４１がケース１０の正面１１側を向くように配置された場合、プリント基板４０の平面方向の大きさの分、第１面４１が筐体２内の平面方向でのスペースを占有することになる。しかしながら、本実施例の電子装置１は、プリント基板４０の第１面４１を筐体２の側面１２、２２側を向くように配置したので、プリント基板４０の厚み分だけ、筐体２内の平面方向でのスペースを占有することになる。このため、筐体２の平面方向でのプリント基板４０が占有するスペースを抑制できる。
【００２２】
特に、本実施例の電子装置１では、図２に示したように、マザーボードＭＢや金属板３０、ハードディスクＨＤが筐体２内の平面方向でのスペースの大部分を占有している。換言すれば、マザーボードＭＢや金属板３０の各表面積は、プリント基板４０の第１面４１の面積よりも大きい。このように、筐体２内の平面方向のスペースを大きく占有するマザーボードＭＢに対して、プリント基板４０は直交するように配置される。これにより、筐体２の平面方向でのプリント基板４０が占有するスペースを抑制できる。
【００２３】
図７、８に示すように、挟持部５３、５４がプリント基板４０を挟み、低壁部５９がプリント基板４０の下側の縁を支え、係合爪部５８がプリント基板４０の上側の縁を押えることにより、プリント基板４０はホルダ５０に保持される。ホルダ５０の挟持部５３、５４、係合爪部５８、低壁部５９は、プリント基板４０を保持する保持部の一例である。尚、挟持部５３、５４は、プリント基板４０の第１面４１に直交する方向でのプリント基板４０の位置を規定し、係合爪部５８、低壁部５９が、プリント基板４０の第１面４１の面方向でのプリント基板４０の位置を規定している。
【００２４】
図６に示すように、操作部５５、７０ａ、７０ｂのぞれぞれの背面側に、スイッチ４５、４７ａ、４７ｂが位置する。また、図９に示すように、操作部５５が押下げ操作されることにより、操作部５５によってスイッチ４５が押される。このように、ホルダ５０は、プリント基板４０を保持する機能を有していると共に、プリント基板４０に実装されたスイッチ４５を操作する操作部５５が一体に形成されている。このため、部品点数が削減されている。
【００２５】
操作部５５が押されると、腕部５７は変形して撓む。即ち、腕部５７、操作部５５が押下げ可能に操作部５５を支持している。腕部５７は湾曲しているので、腕部５７が直線状の場合に比べて、腕部５７の長さが確保されている。これにより、腕部５７が撓みやすくなっている。また、操作部５５には、２つの腕部５７が連続している。
【００２６】
図７に示すように、ホルダ５０の逃げ部５６ａ〜５６ｃを介して、それぞれ金属板３０の接続部３６ａ〜３６ｃが、それぞれプリント基板４０のグランドパターン４６ａ〜４６ｃに接続される。これにより、操作部５５が押されてスイッチ４５が押された場合に、プリント基板４０が撓むことを金属板３０が防止している。
【００２７】
また、図７、１０に示すように、接続部３６ｂはスイッチ４５の裏側に位置している。これにより、プリント基板４０を介して接続部３６ｂと対向する操作部５５が操作された際に、プリント基板４０が撓むことを接続部３６が防止している。また、接続部３６ａ〜３６ｃは、それぞれ弾性変形可能である。これにより、接続部３６ａ〜３６ｃがプリント基板４０をホルダ５０の側壁部５１側に付勢しており、ホルダ５０内でのプリント基板４０のがたつきが防止される。
【００２８】
尚、ホルダ５０には、逃げ部５６ａ〜５６ｃが形成されており、それによって金属板３０とプリント基板４０との接続が確保されている。逃げ部５６ａ、５６ｂは、側壁部５２に切欠状に形成され、プリント基板４０のグランドパターン４６ａ、４６ｂを露出する。逃げ部５６ｃは、プリント基板４０のグランドパターン４６ｃを露出するように形成されている。
【００２９】
また、ホルダ５０は、ケース２０にネジＮにより固定されるが、プリント基板４０はホルダ５０に保持されるがケース２０には固定されていない。従って、ホルダ５０のみがネジＮによりケース２０に固定され、プリント基板４０はネジ止めされていない。このため、ホルダ５０に対してプリント基板４０は容易に組付け、取外しされる。これにより、ホルダ５０に対するプリント基板４０の組付け性や、ホルダ５０に保持されているプリント基板４０の交換作業性が向上している。
【００３０】
プリント基板４０をホルダ５０に組み付ける際には、プリント基板４０は、ホルダ５０の挟持部５３、５４の間にプリント基板４０の平面方向に挿入され、ホルダ５０によって保持される。このように、プリント基板４０はホルダ５０に簡単に組み付けられる。尚、スイッチ４５を操作するための操作部５５の押下げ方向と、ホルダ５０にプリント基板４０を組み付ける方向とは相違している。
【００３１】
以上本発明の好ましい一実施形態について詳述したが、本発明は係る特定の実施形態に限定されるものではなく、特許請求の範囲に記載された本発明の要旨の範囲内において、種々の変形・変更が可能である。
【００３２】
尚、上記実施例においては、電子装置の一例としてタブレット型コンピュータを例に説明したが、電子装置はそれ以外であってもよい。例えば、ノート型コンピュータ、携帯電話、電子辞書、ＰＤＡ、ゲーム機、カメラ、音楽プレイヤー、ナビゲーション装置等である。また、電子装置は、このような携帯装置のみならず、据置型の電子装置であってもよい。例えば、電子装置は、デスクトップ型のコンピュータや、デスクトップ型のコンピュータに用いられるキーボード、オーディオ、テレビ、その他の家電製品であってもよい。
【符号の説明】
【００３３】
１  電子装置
１０、２０  ケース
１１  正面
２１  背面
１２、２２  側面
２５  開口部
３０  金属板
３６ａ〜３６ｃ  接続部
４０  プリント基板
４５  スイッチ
４６ａ〜４６ｃ  グランドパターン
５０  ホルダ
５３  第１挟持部
５４  第２挟持部
５５  操作部
５６ａ〜５６ｃ  逃げ部
５７  腕部
Ｎ  ネジ
【図１】
0005614325.tif 000002
【図２】
0005614325.tif 000003
【図３】
0005614325.tif 000004
【図４】
0005614325.tif 000005
【図５】
0005614325.tif 000006
【図６】
0005614325.tif 000007
【図７】
0005614325.tif 000008
【図８】
0005614325.tif 000009
【図９】
0005614325.tif 000010
【図１０】
0005614325.tif 000011